(57)【要約】      （修正有）【課題】骨組みが馬個々の解剖学的な組織と成長、筋肉の発達に適合し、調節できる、馬用の整形外科応用の鞍を提供する。【解決手段】鞍は、伸縮し、柔軟性があり、長さがき甲から、腰部の最後の椎骨まであり、椎骨の両側に平行に配置されるバー１、２を設け、そのバー１、２の両方に、肩部の支え３と腰部の支え７を設けている。両側の２本のバー１、２の結合は取っ手と腹帯のための結び目があるアーチ型の金具４と、鞍用の椅子を固定し鐙の留め金があるアーチ型の金具５と、鞍用の椅子を固定するアーチ型の金具６と、腰部の支え７により行われる。【選択図】図１
2010268778.tif 000002
【特許請求の範囲】
【請求項１】
発明の目的は、骨組みが馬個々の解剖学的な組織と成長、筋肉の発達に適合し、調節できる、馬用の整形外科応用の鞍を製造することである。
そのために、グラスファイバー（１，１ａ）の管を２本用い、他の直径の細いほうを２本（２，２ａ）を伸縮する管を２セット作るために使う。
これらは、鞍のバーとなる。バーの前端には、４５°のコネクター（３．３ａ）を挿入し、それは、肩部の支えとなる。
バーを結合させるために、管を挿入するための両端に円筒状の穴（ブッシュ）がある４つのアーチ型の金具を用いる。一つ目のアーチ型の金具（４）は，肩部の支えを調節するためと、胸がいのベルトの締め金と、取っ手、一つ目の腹帯のための結び目を取り付けるためにも役立つ。
２つ目のアーチ型の金具（５）は、鐙のための留め金を含む。また、２つ目と３つ目のアーチ型（６）の金具は、鞍用の椅子を固定する。
４つ目のアーチ型の金具は、調節（８）と固定の仕組みをもつ腰部の支え（７，７ａ）を含んでいる。
支えの部分のカバー（１１）は、肩部、腰部ともに、円筒状で、ゴムのポリウレタンフォームが用いられ、残りのバーの部分のカバーは、ドーナツ型のポリウレタンフォーム（１０）が用いられる。
馬の鞍を固定するために、スライドバックルのある馬胴体を一回りする２つの腹帯を使う。一つ目の腹帯は、一つ目のアーチ型の金具のバーの結び目を通して配置される。２つ目の腹帯は、二つ目と三つ目のアーチ型の金具の間に配置される。
この発明は、本質的に、馬の背中にかかる重さを軽減し、前後の端に分散させるために、柔軟性があり、長さがき甲から、腰部の最後の椎骨まであることに特徴づけられる。
形、大きさ、配置は、変わる余地がある。しかしながら、発明の本質は変更しない。
【発明の詳細な説明】
【技術分野】
【０００１】  馬用の用具
【背景技術】
【０００２】  骨組みのある鞍と骨組みのない鞍
【特許文献１】
【特許文献２】
【非特許文献１】
【非特許文献２】
【発明の開示】
【発明が解決しようとする課題】
【０００３】  著述家であり、馬の動物行動学、神経生理学、神経解剖学が専門のルーシー  リース博士によると、馬の行動上の問題のすべての原因の中で、痛みが最も一般的なものであり、それらの痛みの中でも、不適切な鞍による痛みが最も一般的であるとされている。
鞍は、原理上、あまり脊椎の骨突起が保護されていない肩部の中心の線の圧力を取り去るものである。そして、馬がより重さに耐えられる肋骨の上の大きな筋肉の上に、分散させるものである。
馬の鞍の適合は、複雑な問題である。鞍が馬に痛みを与えないように管理することは、常に行わなければいけないことであり、馬は労働や加齢によって形がかわっていくため、うまく機能していた鞍が、馬を傷つけてしまうこともある。
もし、き甲の部分が痛む場合には、アーチ型の金具の幅が広すぎるのかもしれないし、き甲の下の部分が痛む場合には、アーチ型の金具の幅が狭すぎるのかもしれない。これらは、前脚の広がりを制限するため歩き方に悪い影響を及ぼし、最終的には、筋肉を萎縮させてしまうおそれがある。
鞍自体がバランスをとることもこの部分を傷める原因となりうる。
馬の背の部分の痛みは、鞍の後部の圧力が強すぎることによって生じる。古い鞍のバーの部分が圧縮しているかもしれないし、馬に乗る人の座り方が悪いのかもしれない。
１７インチ、１８インチの寸法というのは、鞍の長さのことを意味している。これは、馬に乗る人の快適さのためで、馬にとっての快適さではない。
“Ｗｅｓｔｅｒｎ式”の鞍は、イギリス式の骨組みのある鞍として組み立てられている。そのため、同様の問題を引き起こしえる。また、座部がとても後ろに位置しがちである。
“Ｖａｑｕｅｒａ式”の鞍は、組み立て方によって異なるが、馬に乗る人の体重を背中の後ろのほうで支えるのは良くない。
獣医のエンリケ  カスティージョ博士は、競技用の馬の骨は、一生にわたって、レースの間に乗る重さの圧力とストレスを我慢しえるように変形していくことはよく知られていると言う。
研究では、異なる強度で、訓練をした前述の馬の中手骨、あるいは、前肢の第三中手骨に起こる形の変化について評価した。いかなる訓練もしていない若い馬の中手骨は、完全に丸い。レースの間にかかる圧力に耐えるために、この骨は、楕円の形に変形することを受け入れなければならない。そして、前面と側面に太くならなければいけない。
この研究で分かったことは、馬の骨は、子馬の時の何らかの運動によって引き起こされた自然の変形にも苦しんでいることである。
それだけでなく、速歩やギャロップなどの集中的な運動は、骨の丈夫さ、耐久性をも促進しないことを明らかにしている。
これらの研究の結論としては、明確である。それは、スピードを伴う運動によってのみ、レースによるストレスに耐えられる骨を、作ることができるということである。
その理由から、トレーナーが激しく、スピードを伴う運動をさせて、不可避的に、子馬の中手骨は、使い過ぎで損傷を受けてしまうのである。
前述のリース博士によると、問題は、馬の鞍の適合性と動物の生涯の中での筋肉の成長にともなって行わなければならない修正に由来すると言う。前肢の第三の中手骨についてのカスティージョ博士の研究は、馬に乗る人の重さが、それらの肢に過度の負担をかけ、若い動物へのたくさんの損傷を引き起こすことを確認している。
【課題を解決するための手段】
【０００４】  馬の背中を通り、柔軟性があり、長さがき甲から、腰部の最後の椎骨まで調節できるバーの骨組みのあり、肩部と腰部に調節機能がある支えのある鞍を提案する。
これを実現するために、二本の両方が、伸縮性できる２つの部分から成る柔軟性のある特定の硬さの管を使う。二本は、背骨の両側に平行に配置され、これらは、鞍のバーとなる。
伸縮のできる各管（バー）の大きい直径のあるほうの前部には、４５°に曲がった差し込む方のコネクターを挿入する。これらは、肩部の支えとなる。
バーの結合部は、４つのアーチ型の金具から成る。各アーチ型の金具の両端には、管が通るための円筒状の穴（ブッシュ）がある。
一つ目のアーチ型の金具は、バーの前方に配置されており、ネジによって固定して、肩部の支えの位置を放射状に調整すること、取っ手を取り付けること、胸がいのベルトの締め金と、一つ目の腹帯のための結び目を取り付けるためにも役立つ。
２つ目のアーチ型の金具は、鐙の締め金とその位置を固定するためのネジを含む。また、２つ目と３つ目のアーチ型の金具は、鞍用の椅子を固定するのにも役立つ。
４つ目のアーチ型の金具は、直径の細いほうの伸縮性のある管の端から数センチメートルのところに配置されている。このアーチ型の金具は、調整と固定の仕組みをもつ腰部の支えを含んでいる。
支えの部分のカバーは、肩部、腰部ともに管状のゴムのポリウレタンフォームが用いられる。バーの部分のカバーは、ドーナツ型のポリウレタンフォームと１０ｃｍほどの長さのゴムの管状カバーによって作られる。
馬の鞍を固定するために、スライドバックルのある馬胴体を一回りする２つの腹帯を使う。一つ目の腹帯は、一つ目のアーチ型の金具のバーの上のところに結び目を通して、配置される。
２つ目の腹帯は、二つ目と三つ目のアーチ型の金具の間、そして、バーと座席部の間に配置される。
【発明の効果】
【０００５】利点として、これの各馬の特別な構造への適合性をはじめ、様々なことが考えられる。
馬の成長と筋肉の発達に合わせて、バーを長さを調節することができ、肩部と腰部の支えを調節することができること。
一つの部分に過度な重さがかかることを避けて、前端と後端との間の背部に沿って、馬に乗る人の体重を分散させることができること。
鞍用の椅子は、バーから独立した部品からなるため、馬に害を与えずに、より馬に乗る人に快適なデザイン、製造がしやすくなること。
訓練のため、散歩のためなど、より長い時間、人間を乗せることができること。
競馬の騎手に関しては、これによって安定したポジションに適合させることができ、現在の慣習となっている鐙を高くすることは必要がなくなり、落馬を予防することができる。
【発明を実施するための最良の形態】
【０００６】発明の実施の方法の一つを以下に説明する：
競走馬用の鞍を製造する。
バーの材料
２本の長さ４３０ｍｍ  外径１８ｍｍ  厚さ１ｍｍのグラスファイバー（１，１ａ）
２本の長さ  ５５０ｍｍ  外径１６ｍｍで、厚さ１ｍｍのグラスファイバー（２，２    ａ）
二本のグラスファイバーは、共に海釣りようの竿と同様の特性と仕組みを有する。
２つの面共に１００ｍｍの長さで、外径１６ｍｍの銅製の差し込み用の４５°のコネ    クター２個（３．３ａ）
アーチ型の金具の材料
（１，１ａ）の管に入る銅製の円筒状の穴（ブッシュ）のある部品が６つ
（２，２ａ）の管に入る銅製の円筒状の穴（ブッシュ）のある部品が２つ
アーチ状の金具を作るための銅製の形材が１つ
５ｍｍ×１５ｍｍの雄ネジ６本
銅製の１００ｍｍ×外径１６ｍｍの管の部分品２つ（７，７ａ）
三角形の銅製の部品が２つ（９．９ａ）
６ｍｍ×１０２ｍｍ×１２ｍｍのケーブルのターンバックル  シャックル  シャック    ル（８）
座席部分のための材料
カーボンファイバーの板（１２）
トラスネジ  ５×２０ｍｍ３本
カバーのための材料
長さ１００ｍｍ×１５ｍｍの厚さで、（２．２ａ）の管に入る管状のカバー（１１）    ６本
１０ｍｍ×１５ｍｍの厚さのドーナツ型のゴム（１０）
スライドバックルのある簡単な腹帯
前工程
銅製の形材を３つの部分品を取り出し、より大きい直径の円筒状の穴（ブッシュ）の部品を両端に垂直の方向に、溶接する。そして、３つのアーチ型の金具ができる。一つ目のアーチ型の金具（４）には、留め金を、取っ手、胸がいのベルト、腹帯のための結び目を取り付けるために溶接する。
２つ目のアーチ型の金具（５）には、鐙の留め金を溶接し、鞍用の椅子に固定するための穴をあける（１２）。
３つ目のアーチ型の金具（６）には、引き続いて、鞍用の椅子に固定するための２つの穴をあける。
４つ目のアーチ型の金具には、小さいほうの直径の円筒状の穴（ブッシュ）の部品を取り出し、銅製の管の部分品（７．７ａ）と三角形の銅製の部品（９．９ａ）をそれぞれ溶接する。これらは、腰部の支えであり、このアーチ型の金具の組み立てを終わらせるために、各シャックルに、三角形の銅の部品を配置しながら、ケーブルのターンバックル（８）を使用する。
最終工程
一つ目のアーチ型の金具（４）を管（１，１ａ）の前面から、挿入する。その後、４５°のコネクター（３，３ａ）を挿入する。続いて、管（２，２ａ）を挿入して、伸縮できる管にする。そして、バーを背部に設置し、管（２，２ａ）に印をつけながら、長さと腰部の支えの位置を調節する。その後、バーをテーブルの上に持って行き、全体の長さの半分より６．５ｍｍ前のところを測り、管に印をつける。この印のところまで、ドーナツ型のゴム（１０）を入れてから、座席部分（１２）を挿入する。そして、２つ目のアーチ状の金具（５）のネジを固定をする。ドーナツ型のゴム（１０）を入れ続け、４つ目のアーチ型の金具を挿入する。さらに、管状のカバー（１１）を入れ、同様に肩部の支え（３．３ａ）と腰部の支え（７．７ａ）を入れ、鐙を設置する。
そして、ゼッケンを馬の背部に、鞍の上に置き、腹帯を巻き、馬に乗って、肩部の支え（３．３ａ）を調節する。それから、ネジで、一つ目のアーチ型の金具を固定し、その後、ターンバックル（８）を回して、腰部の支えを調節し、ネジで固定する。
【図面の簡単な説明】
【０００７】上記の記述の理解を補うために、図を用いて説明する（大きさ、材質などを制限するものではない）。
【図１】側面から見た鞍を示した図
【図２】バーとアーチ型の金具を示した図
【図３】座席部分を示した図
【図４】腰部の支えの正面から見た図とその調整の仕組みを示した図
【図５】ドーナツ状のゴムを示した図
【図６】肩部と腰部の支えと最後部の部分のバーの管状のカバーを示した図
【符号の説明】
【０００８】１，１ａ      太い直径のグラスファイバーの管
２，２ａ      細い直径のグラスファイバーの管
３，３ａ      ４５°のコネクター
４            一つ目のアーチ型の金具
５            二つ目のアーチ型の金具
６            三つ目のアーチ型の金具
７，７ａ      固定の仕組みをもつ腰部の支え
８            ターンバックル
９，９ａ      三角形の銅製の部品
１０          ドーナツ型のポリウレタンフォーム
１１          管状のカバー
１２          鞍用の椅子
【図１】
2010268778.tif 000003
【図２】
2010268778.tif 000004
【図３】
2010268778.tif 000005
【図４】
2010268778.tif 000006
【図５】
2010268778.tif 000007
【図６】
2010268778.tif 000008